(57)【特許請求の範囲】
【請求項１】
光軸周りに回動操作可能なズーム操作環を有し、このズーム操作環の中立位置からの回転量に応じてズーミング速度を変化させる電動ズームレンズ鏡筒において、
ズーム操作環の中立位置からの回転量に応じて、ズーム操作環の回転操作に要する回転トルクを段階的に変化させる回転トルク可変手段を備え、
この回転トルク可変手段は、
上記ズーム操作環とともに回転するズーミング速度切替板と；
このズーミング速度切替板に形成した係合突起に周方向の両端部から係合する、カメラボディに固定されるマウント環と一体の案内部材に周方向に移動自在案内された一対の第１移動片と；
この一対の第１移動片の間に張設され、該一対の第１移動片を互いに接近する方向に移動付勢する第１引張ばねと；
上記一対の第１移動片の周方向の外側に位置する、上記案内部材に周方向に移動自在に案内された一対の第２移動片と；
この一対の第２移動の間に張設され、該一対の第２移動片を互いに接近する方向に移動付勢する第２引張ばねと；
を備え、
上記ズーミング速度切替板は、ズーム操作環によって正逆に回転するとき、上記第１移動片を第１引張ばねに抗して移動させた後、該第１の移動片に当接する第２移動片を第２の引張ばねに抗して移動させることを特徴とする電動ズームレンズ鏡筒。
【請求項２】
請求項１記載の電動ズームレンズ鏡筒において、ズーミング速度は、ズーム操作環の中立位置からの回転量が大きくなるにつれて、少なくとも、第１ズーミング速度、この第１ズーミング速度より高速の第２ズーミング速度、の順で段階的に増速され、
回転トルク可変手段のズーミング速度切替板は、上記第１ズーミング速度から第２ズーミング速度に増速される手前で、上記第１の移動片を第２の移動片に当接させる電動ズームレンズ鏡筒。
【発明の詳細な説明】
【０００１】
【産業上の利用分野】
本発明は、撮影レンズの光軸周りに回動操作可能なズーム操作環を有する電動ズームレンズ鏡筒に関する。
【０００２】
【従来技術およびその問題点】
自由状態において中立位置に位置するズーム操作環を、光軸周りに手動にていずれか一方（正方向）に回転させると望遠側に向かってズーミングし、他方（逆方向）に回転させると広角側に向かってズーミングする電動ズームレンズ鏡筒が知られている。この電動ズームレンズ鏡筒は、ズーム操作環の中立位置からの回転量（回転角度）が大きくなるにつれて段階的にズーミング速度が増す構造を有している。
【０００３】
この電動ズームレンズ鏡筒において、例えば、低速、中速、高速の順序で段階的にズーミング速度が増す構造の電動ズームレンズ鏡筒では、中速のズーミング速度が最も頻繁に利用される。しかしながら、この電動ズームレンズ鏡筒では、低速と高速の間の中速のズーミング速度を、ズーム操作環を所定の回転量だけ回転させて瞬時に選択することは意外と難しく、中速のズーミング速度を選択するつもりでズーム操作環を回転させたとき、回転量が大き過ぎて高速のズーミング速度を過って選択してしまうことが度々あった。
【０００４】
ある瞬間のシャッターチャンスを逃したくない時は、ついズーム操作環を操作する手に力が入り過ぎてしまうものである。このため、中速のズーミング速度で希望のアングルを得ようとしても、ついズーム操作環を力一杯回してしまい、これによって高速のズーミング速度で一気に広角端または望遠端までズーミングされ、この結果、希望のアングルが得られなかったりシャッターチャンスを逃すことがあった。
【０００５】
【発明の目的】
本発明は、以上の問題点に鑑みて成されたもので、希望のズーミング速度を選択し易い構造を有する操作性のよい電動ズームレンズ鏡筒を提供することを目的とする。
【０００６】
【発明の概要】
本発明は、従来の電動ズームレンズ鏡筒では、ズーム操作環を回動操作するのに要する回転トルクが、ズーム操作環の中立位置（ズーミング停止位置）から高速（最速）のズーミング速度を選択するときの回動位置にかけての全域で略フラットであるために、低速と高速の間の中速のズーミング速度を瞬時に選択することが困難であるという事実に着目して成されたものである。
【０００７】
この従来の問題点に着目して成された本発明は、光軸周りに回動操作可能なズーム操作環を有し、このズーム操作環の中立位置からの回転量に応じてズーミング速度を変化させる電動ズームレンズ鏡筒において、ズーム操作環の中立位置からの回転量に応じて、ズーム操作環の回転操作に要する回転トルクを段階的に変化させる回転トルク可変手段を備えたものであって、この回転トルク可変手段は、ズーム操作環とともに回転するズーミング速度切替板と；このズーミング速度切替板に形成した係合突起に周方向の両端部から係合する、カメラボディに固定されるマウント環と一体の案内部材に周方向に移動自在案内された一対の第１移動片と；この一対の第１移動片の間に張設され、該一対の第１移動片を互いに接近する方向に移動付勢する第１引張ばねと；一対の第１移動片の周方向の外側に位置する、上記案内部材に周方向に移動自在に案内された一対の第２移動片と；この一対の第２移動の間に張設され、該一対の第２移動片を互いに接近する方向に移動付勢する第２引張ばねと；を備え、ズーミング速度切替板は、ズーム操作環によって正逆に回転するとき、上記第１移動片を第１引張ばねに抗して移動させた後、該第１の移動片に当接する第２移動片を第２の引張ばねに抗して移動させることを特徴としている。
【０００８】
【発明の実施例】
以下図示実施例に基づいて本発明を説明する。図１は、本発明を適用した電動ズームレンズ鏡筒１０を示している。このレンズ鏡筒１０は、第１から第４レンズ群Ｌ１、Ｌ２、Ｌ３、Ｌ４を有する４群タイプのズームレンズ鏡筒である。
【０００９】
ズームレンズ鏡筒１０は、該鏡筒の後端部に、カメラボディ（図示せず）に着脱自在に固定するためのマウント環１１を有している。このマウント環１１にはマウント継環１２が固定され、このマウント継環１２の内側にはハウジング１３が固定され、このハウジング１３の内側には固定筒１４が固定され、ハウジング１３の前端部に固定外筒１５が固定されている。マウント環１１とマウント継環１２の間には、絞り環１６が光軸Ｏ周りに回動可能に設けられている。
【００１０】
固定筒１４の外周には、ズーム駆動環２２が回動自在に嵌合されている。ズーム駆動環２２の前端部には、光軸Ｏ周りの回転が規制されかつ直進案内されたヘリコイド環２０が嵌合されている。そして、ヘリコイド環２０の前端部に飾り枠１７が嵌合されている。ヘリコイド環２０と飾り枠１７とは、ヘリコイド環２０の外周に形成された雄ヘリコイド２０ａと、飾り枠１７の内周に形成された雌ヘリコイド１７ａとの螺合によってねじ結合されている。
【００１１】
固定外筒１５の前端部には、フォーカス環２８が光軸Ｏに沿って移動不能にかつ光軸Ｏ周りに回動自在に嵌合されている。そして、固定外筒１５及びフォーカス環２８の内周に、フォーカス環２８と一体に回動自在に距離目盛環２７が嵌合されている。この距離目盛環２７の外周面には距離目盛（図示せず）が印刷されており、この距離目盛は、固定外筒１５に固定された表示窓２９及び固定外筒１５に形成された開口１５ａを通して観察される。距離目盛環２７の内周面に形成されたリード溝２７ａには、飾り枠１７の後端部から外方に突設された突起１７ｂが摺動自在に嵌入している。
【００１２】
よって、フォーカス環２８が回転すると、距離目盛環２７はフォーカス環２８と一体に回転し、飾り枠１７は光軸Ｏに沿って移動自在状態でフォーカス環２８と一体に回転するので、飾り枠１７は雌ヘリコイド１７ａと雄ヘリコイド２０ａのねじ作用によって回転しながら光軸Ｏに沿って進退動する。この飾り枠１７の進退動によってフォーカス調整がなされる。また、距離目盛環２７の内周面にはＡＦ用内歯歯車（図示せず）が形成され、このＡＦ用内歯歯車にはＡＦモータに連結されたＡＦピニオンが噛合し、ＡＦの際には、ＡＦモータの駆動によって距離目盛環２７が回動されてフォーカス調整がなされる。
【００１３】
第１レンズ群Ｌ１は、飾り板１７の前端部内周面に内方に向けて突設されたレンズ支持枠１７ｃに固定されている。第２レンズ群Ｌ２は第２レンズ群枠１８ａに固定され、第４レンズ群Ｌ４は第４レンズ群枠１８ｂに固定され、第２レンズ群枠１８ａ及び第４レンズ群枠１８ｂは、第１移動環１８に固定されている。第１移動環１８は、外周面から突設された腕部１８ｄが、固定筒１４に形成された直進案内長孔１４ａ（図４参照）を貫通し、腕部１８ｄの先端に形成された傾斜突起１８ｅが、ズーム駆動環２２の内周面に形成されたリード溝２２ｄ（図３参照）に摺動自在に嵌入している。
【００１４】
第３レンズ群Ｌ３は第３レンズ群支持枠１９に固定され、この第３レンズ群支持枠１９が、第１移動環１８及びその外周に回動自在に嵌め込まれた第２移動環２１に連結支持されている。第３レンズ群支持枠１９の外周面には、図８に展開図で示すように、腕部１９ａが周方向に３つ突設されている。この腕部１９ａは、第１移動環１８の直進ガイド溝１８ｃ（図６参照）を貫通し、腕部１９ａの先端に形成された傾斜突起１９ｂが、第２移動環２１の内周面に形成された３本のカム溝２１ａ（図７参照）に摺動自在に嵌入している。
【００１５】
固定筒１４には、第１移動環１８に形成された腕部１８ｄが貫通する直進案内長孔１４ａが形成され、固定筒１４の内周面には、第２移動環２１の外周面に突設された突起２１ｂの先端部が摺動自在に嵌入するカム溝１４ｂが形成されている。また固定筒１４の前端部には、直進案内部材２３が周方向に３つ固定されている。各直進案内部材２３は、外方に突設された案内突起２３ａを有しており、この案内突起２３ａは、ズーム駆動環２２に形成された周方向孔２２ｅを通ってヘリコイド環２０に形成された直進案内溝２０ｅに摺動自在に嵌入している。
【００１６】
さらに固定筒１４に嵌合されたズーム駆動環２２の外周面中央付近にはピン２２ａが突設されていて、このピン２２ａの先端部が焦点距離目盛環２６に係合している。この焦点距離目盛環２６の外周面には焦点距離目盛（図示せず）が印刷されており、この焦点距離目盛は、表示窓２９及び固定外筒１５に形成された開口１５ｂを通して観察される。ズーム駆動環２２は、前端部側（第１レンズ群Ｌ１側）に太径部があり、太径部の外周面に前後一対のガイド突起２２ｂ、２２ｃを周方向に３対有している（図３参照）。ヘリコイド環２０には、前後に所定形状の面カム２０ｃ、２０ｄを有するカム凸部２０ｂが周方向に３個形成されており、各カム凸部２０ｂは、対応する一対のガイド突起２２ｂ、２２ｃの間にそれぞれ摺動自在に嵌入している。カム凸部２０ｂの面カム２０ｃ、２０ｄの輪郭は、雌ヘリコイド１７ａ、雄ヘリコイド２０ａのリードとの合成が第１レンズ群Ｌ１の移動軌跡に対応するように形成されている。
【００１７】
ズーム駆動環２２の細径部の内周面には、３本のカム溝２２ｄが等間隔で形成されており、これらカム溝２２ｄに、第１移動環１８の腕部１８ｄの先端に形成された傾斜突起１８ｅが摺動自在に嵌入する。上記カム溝２２ｄの輪郭は、第２レンズ群Ｌ２及び第４レンズ群Ｌ４の移動軌跡に対応している。
【００１８】
マウント継環１２及び固定外筒１５の外周には、ズーム操作環２５が回動自在に嵌合されており、ズーム操作環２５の外周には操作滑り止め用のゴムリング２５ａが嵌め込まれている。このズーム操作環２５は、前方（図１の左側）に移動された電動ズーム位置と、後方に移動された手動ズーム位置の２位置に移動可能とされており、後方の手動ズーム位置に移動されたときは、クラッチ機構（図示せず）によってズーム駆動環２２と連動される。なお図１では、ズーム操作環２５が前方の電動ズーム位置に位置された状態が示されている。
【００１９】
固定外筒１５の内側のマウント１１寄りには、焦点距離目盛環２６が回動自在に嵌合されており、この焦点距離目盛環２６の内側に、前述のピン２２ａの先端部が係合している。そして、ズーム駆動環２２が回動すると、ピン２２ａを介して焦点距離目盛環２６に回転が伝達され、焦点距離目盛環２６も共に回転する。
【００２０】
ハウジング１３の前端部には、外方に延びる支持板部１３ａが形成されている。この支持板部１３ａの後方に、ズーミング速度選択スイッチ部５０及び回転トルク可変手段３０が設けられている。ズーミング速度選択スイッチ部５０は、ズームコード板５２、このズームコード板５２上に摺接するブラシ５４等からなっており、また回転トルク可変手段３０は、案内部材３２、第１移動片３６ａ、３６ｂ、第２移動片３７ａ、３７ｂ、第１引張ばね３７、第２引張ばね３８等からなっている。
【００２１】
支持板部１３ａの後端部には、ハウジング１３の外周面と平行に延びる案内部材３２が固定されている。より詳細には、案内部材３２の前端面に、該前端面から前方に突出するガイド突起３２ａ（図９参照）が２つ形成されており、各ガイド突起３２ａの前端面が支持板部１３ａの対応する凹部１３ｂに当接され、互いに当接する凹部１３ｂとガイド突起３２ａをねじ３３により結合することで案内部材３２が支持板部１３ａに対して固定されている。
【００２２】
支持板部１３ａと案内部材３２の間には、ズーミング速度切替板３４が周方向に摺動自在に設けられている。このズーミング速度切替板３４には、周方向に延びる２つの案内長孔３４ａが形成されており、各案内長孔３４ａには、対応するガイド突起３２ａが摺動自在に嵌っている。したがって、ズーミング速度切替板３４は、案内長孔３４ａの長さ範囲内で周方向に移動可能とされている。またズーミング速度切替板３４には、外周縁部に係合ギヤ部３４ｂが形成されている。この係合ギヤ部３４ｂには、ズーム操作環２５が前方の電動ズーム位置に位置されたときに、ズーム操作環２５の内周面に周方向に沿って形成された内歯歯車２５ｂが係合する。ズーム操作環２５が後方の手動ズーム位置に位置されたときには、内歯歯車２５ｂは、係合ギヤ部３４ｂとの係合を解除する。よって、ズーム操作環２５が前方の電動ズーム位置に位置されるときには、ズーム操作環２５を回動させると、内歯歯車２５ｂ及び係合ギヤ部３４ｂを介してズーミング速度切替板３４も共に回動する。
【００２３】
ハウジング１３の外周面には、所定のパターンを有するフレキシブルプリント基板からなるズームコード板５２が周方向に沿って固定されており、このズームコード板５２上には、ズーミング速度切替板３４の一端部に固定されたブラシ５４が摺接している。ズームコード板５２とブラシ５４は夫々電動ズームの制御を行うレンズＣＰＵ（図示せず）に電気的に接続されており、このレンズＣＰＵは、ズームコード板５２上のブラシ５４の接触位置に応じてズーミング速度を変化させる。より詳細には、ズームコード板５２上のブラシ５４の接触位置に応じて、ズーミング停止、及び低速、中速、高速の３種のズーミング速度を選択することが可能とされており、レンズＣＰＵは、ズームコード板５２上のブラシ５４の接触位置に応じて、ズーミングの停止、または低速、中速、高速のいずれか速度でズーミングを行うようにズームモータ（図示せず）を駆動する。
【００２４】
案内部材３２には、一対の第１移動片３５（３５ａ、３５ｂ）、及び一対の第２移動片３６（３６ａ、３６ｂ）が所定の範囲内で周方向に移動可能に案内されている。一対の第１移動片３５ａ、３５ｂは、案内部材３２に形成された案内レール等（図示せず）の公知のガイド手段によって、図１０中に示す移動可能範囲ａ、ｂの範囲内で夫々移動可能に案内されており、互いに掛けられた第１引張ばね３７によって、互いに向かう方向に常時付勢されている。また一対の第２移動片３６ａ、３６ｂは、第１移動片３５ａ、３５ｂと同様に、案内部材３２に形成された案内レール等（図示せず）の公知のガイド手段によって、図１０中に示す移動可能範囲ｃ、ｄの範囲内で夫々移動可能に案内されており、互いに掛けられた第２引張ばね３８によって、互いに向かう方向に常時付勢されている。
【００２５】
第１移動片３５ａと第１移動片３５ｂの間には、ズーミング速度切替板３４に固定された光軸Ｏと平行な方向に延びる係合突起３９が位置されている。よって、ズーミング速度切替板３４は、自由状態において図９及び図１０に示す中立位置に位置しており、ズーム操作環２５の回動操作によって一方に回転されると第１移動片３５ａが同図の右側に移動し、他方に回転させると第１移動片３５ｂが同図の左側に移動する。
【００２６】
また、第１移動片３５ａの第２移動片３６ａに対向する側の端部３５ｃは、第２移動片３６ａの第１移動片３５ａに対向する側の端部３６ｃと係合可能とされている。したがって、第１移動片３５ａが周方向位置ｅを越えて第２移動片３６ａ側（図１０の右側）に移動すると、端部３５ｃが端部３６ｃに当接して第２移動片３６ａが同方向に共に移動する。同様に、第１移動片３５ｂの第２移動片３６ｂに対向する側の端部３５ｄは、第２移動片３６ｂの第１移動片３５ｂに対向する側の端部３６ｄと係合可能とされている。したがって、第１移動片３５ｂが周方向位置ｆを越えて第２移動片３６ｂ側（図１０の左側）に移動すると、端部３５ｄが端部３６ｄに当接して第２移動片３６ｂが同方向に共に移動する。
【００２７】
以上の構造により、ズーム操作環２５の回動操作によって、第１移動片３５ａを初期位置から周方向位置ｅまでの範囲で移動させるときには、ズーム操作環２５に対して第１圧縮ばね３７による第１回転トルクｑ（図１１参照）が加わり、第１移動片３５ａを周方向位置ｅを越えて移動させるときには、第１移動片３５ａが第２移動片３６ａを同方向に移動させるため、ズーム操作環２５に対して第１圧縮ばね３７と第２圧縮ばね３８との合成による第２回転トルクｒ（図１１参照）が加わる。同様に、ズーム操作環２５の回動操作によって、第１移動片３５ｂを初期位置から周方向位置ｆまでの範囲で移動させるときには、ズーム操作環２５に対して第１圧縮ばね３７による第１回転トルクｑが加わり、第１移動片３５ｂを周方向位置ｆを越えて移動させるときには、第１移動片３５ｂが第２移動片３６ｂを同方向に移動させるため、ズーム操作環２５に対して第１圧縮ばね３７と第２圧縮ばね３８との合成による第２回転トルクｒが加わる。
【００２８】
ズーミング速度切替板３４が中立位置に位置するときには、ズーミング速度切替板３４に固定されたブラシ５４は、ズームコード板５２上のズームモータ停止用のランド部（図示せず）上に接触している。よって、ズーミング速度切替板３４が中立位置に位置するときはズーミングは行われない。
【００２９】
ズーミング速度切替板３４が中立位置から一方向（図１０の右側）に回転され、第１移動片３５ａが図１０中の移動範囲ｇの範囲内に位置されるときは、ブラシ５４は、ズームコード板５２上の広角側に低速ズーミングさせるためのランド部（図示せず）上に接触する。よって、ズーミング速度切替板３４が中立位置から一方向に回転され、第１移動片３５ａが移動範囲ｇの範囲内に位置されるときは、広角側への低速ズーミングが行われる。
【００３０】
さらにズーミング速度切替板３４が同方向に回転され、第１移動片３５ａが移動範囲ｇを越えて第２移動片３６ａを図１０右側へ若干移動させる位置までの移動範囲ｉの範囲内に位置されるときは、ブラシ５４は、ズームコード板５２上の広角側に中速ズーミングさせるためのランド部（図示せず）上に接触する。よって、ズーミング速度切替板３４が中立位置から一方向に回転され、第１移動片３５ａが移動範囲ｉの範囲内に位置されるときは、広角側への中速ズーミングが行われる。
【００３１】
さらにズーミング速度切替板３４が同方向に回転され、第１移動片３５ａが移動範囲ｉを越え、第２移動片３６ａを図１０右側の移動端ｋまで移動させる移動範囲ｍの範囲内に位置されるときは、ブラシ５４は、ズームコード板５２上の広角側に高速ズーミングさせるためのランド部（図示せず）上に接触する。よって、ズーミング速度切替板３４が中立位置から一方向に回転され、第１移動片３５ａが移動範囲ｍの範囲内に位置されるときは、広角側への高速ズーミングが行われる。
【００３２】
他方、ズーミング速度切替板３４が中立位置から他方向（図１０の左側）に回転されるときは望遠側へのズーミングとされ、他の動作に関してはズーミング速度切替板３４が中立位置から一方向に回転される際のズーム動作と同様である。即ち、ズーミング速度切替板３４が中立位置から他方向に回転され、第１移動片３５ｂが図１０中の移動範囲ｈの範囲内に位置されるときは、ブラシ５４は、ズームコード板５２上の望遠側に低速ズーミングさせるためのランド部（図示せず）上に接触する。よって、ズーミング速度切替板３４が中立位置から他方向に回転され、第１移動片３５ｂが移動範囲ｈの範囲内に位置されるときは、望遠側への低速ズーミングが行われる。
【００３３】
さらにズーミング速度切替板３４が同方向に回転され、第１移動片３５ｂが移動範囲ｈを越えて第２移動片３６ｂを図１０の左側へ若干移動させる位置までの移動範囲ｊの範囲内に位置されるときは、ブラシ５４は、ズームコード板５２上の望遠側に中速ズーミングさせるためのランド部（図示せず）上に接触する。よって、ズーミング速度切替板３４が中立位置から他方向に回転され、第１移動片３５ｂが移動範囲ｊの範囲内に位置されるときは、望遠側への中速ズーミングが行われる。
【００３４】
さらにズーミング速度切替板３４が同方向に回転され、第１移動片３５ｂが移動範囲ｊを越え、第２移動片３６ｂを図１０左側の移動端ｌまで移動させる移動範囲ｎの範囲内に位置されるときは、ブラシ５４は、ズームコード板５２上の望遠側に高速ズーミングさせるためのランド部（図示せず）上に接触する。よって、ズーミング速度切替板３４が中立位置から他方向に回転され、第１移動片３５ｂが移動範囲ｎの範囲内に位置されるときは、望遠側への高速ズーミングが行われる。
【００３５】
以上の構成を有する本発明を適用した電動ズームレンズ鏡筒１０は以下のように動作する。撮影者が手動によりズーミングするときは、ズーム操作環２５をマウント１１側に移動する。すると、ズーム操作環２５は、クラッチ機構（図示せず）によってズーム駆動環２２と連動される。この状態からズーム操作環２５を回転させると、このクラッチ機構を介して第１群から第４群レンズＬ１、Ｌ２、Ｌ３、Ｌ４が接離移動してズーミングが行われる。
【００３６】
ズーム駆動環２２が光軸Ｏ回りに回動すると、案内突起２３ａと直進案内溝２０ｅの関係によって直進案内されたヘリコイド環２０が、ガイド突起２２ｂとガイド突起２２ｃの間に挟まれたカム凸部２０ｂの作用により、面カム２０ｃ、２０ｄのプロフィルに応じて光軸Ｏに沿って直進移動する。飾り枠１７は、突起１７ｂがリード溝１７ａに係合しているので、リード溝１７ａに沿ってヘリコイド環２０と共に移動する。つまり、第１レンズ群が回転しないで光軸Ｏに沿って進退動する。
【００３７】
第２レンズ群Ｌ２及び第４レンズ群Ｌ４は、腕部１８ｄが固定筒１４の直進案内長孔１４ａに係合し、傾斜突起１８ｅがズーム駆動環２２のカム溝２２ｄに係合している関係で、回転しないで光軸Ｏに沿って移動する。また第３レンズ群Ｌ３は、第１移動環１８（第２レンズ群Ｌ２及び第４レンズ群Ｌ４）と共に光軸Ｏに沿って移動し、さらに、腕部１９ａが第１移動環１８の直進案内溝１８ｃに直進案内されているので第１移動環１８に対して相対的に光軸Ｏに沿って移動する。
【００３８】
ここで、第２移動環２１は、第１移動環１８が光軸Ｏに沿って移動すると第１移動環１８と一体に光軸Ｏに沿って移動するが、その際、突起２１ｂが固定筒１４のカム溝１４ｂと摺接して移動するので光軸Ｏ回りにも回転する。第３レンズ群支持枠１９は、腕部１９ａが第１移動環１８の直進案内溝１８ｃ通って傾斜突起１９ｂが第２移動環２１のカム溝２１ａに係合しているので、第２移動環２１が回転しながら光軸Ｏに沿って移動し、かつ第２移動環２１の回転によって光軸Ｏに沿って進退動する。つまり、第３レンズ群Ｌ３は、第２レンズ群Ｌ２及び第４レンズ群Ｌ４に対して相対的に接離移動する。
【００３９】
撮影者が電動ズーミングを行うときには、先ずズーム操作環２５を前方に移動する。すると、ズーム操作環２５は、ズーム駆動環２２との係合が外れ、内歯歯車２５ｂがズーミング速度切替板３４の係合ギヤ部３４ｂに係合して手動ズームから電動ズームに切り替わる。
【００４０】
図１１に示すグラフは、電動ズームのときの、ズーム操作環の中立位置からの回転量と、ズーム操作環の回転操作に要する回転トルクとの関係を示している。横軸はズーム操作環２５の中立位置から望遠側または広角側への回転量（ストローク）、縦軸はズーム操作環２５の回転操作に要する回転トルク（負荷）をそれぞれ示している。同グラフ中の実線は、ズーム操作環２５に係る回転トルクのトルク変化を示しており、破線は、従来のズーム操作環に係る回転トルクのトルク変化を示している。また同グラフ中のｖは第１移動片３５が第２移動片３６に当接する位置に対応しており、ｗは第２移動片３６の移動開始点に対応している。
【００４１】
電動ズームの際、ズーム操作環２５を中立位置Ｎから一方向または他方向に所定量回転させた回転位置ｓまでの回転では、ズーム操作環２５に対して第１引張ばね３７による第１回転トルクｑが加わり、回転位置ｓを越えて移動端ｔまでの回転では、ズーム操作環２５に対して第１引張ばね３７と第２引張ばね３８の合成による第２回転トルクｒが加わる。第１回転トルクｑから第２回転トルクｒへの遷移点は、中速から高速のズーミング速度に増速されるズーム操作環２５の回転位置ｕよりも若干手前の中速のズーミング速度が選択される回転位置ｓに対応させている。したがって、ズーム操作環２５を一方向または他方向に回転操作するとき、撮影者は、上記遷移点と対応する中速のズーミング速度が選択される回転位置ｓで抵抗を感じ、高速のズーミング速度を選択するためには中立位置Ｎから回転位置ｓまで回転させるのに要した操作力よりも段階的に大なる操作力でズーム操作環２５を回転させる必要がある。よって、本実施例の電動ズームレンズ鏡筒１０によれば、撮影者は、ズーム操作環２５の回転操作において中速のズーミング速度が選択される回転位置ｓで抵抗が感じられるので、中速のズーミング速度を選択するつもりでズーム操作環を回転させたときに回転量が大き過ぎて高速のズーミング速度を過って選択してしまうことを防止することができる。このズーム操作環２５の回転に応じてズーム操作環２５を回転操作するのに要する回転トルクを段階的に変化させる回転トルク可変手段３０を設けた点が本発明の特徴である。
【００４４】
【発明の効果】
以上のように、本発明の電動ズームレンズ鏡筒によれば、ズーム操作環の中立位置からの回転量に応じて、ズーム操作環の回転操作に要する回転トルクを段階的に変化させる回転トルク可変手段を設ける構成としたので、希望のズーミング速度を選択し易い構造を有する操作性のよい電動ズームレンズ鏡筒を提供することができる。
【図面の簡単な説明】
【図１】本発明を適用した電動ズームレンズ鏡筒の光軸から上半を示す断面図である。
【図２】ヘリコイド環の展開図である。
【図３】ズーム駆動環の展開図である。
【図４】固定環の展開図である。
【図５】同図に示す固定環に固定された直進案内部材を示す正面図である。
【図６】第１移動環の展開図である。
【図７】第２移動環の展開図である。
【図８】第３レンズ群支持枠の展開図である。
【図９】図１に示す電動ズームレンズ鏡筒に設けられた回転トルク可変手段及びズーミング速度選択スイッチ部を示す展開図である。
【図１０】同図の回転トルク可変手段を示す拡大図である。
【図１１】ズーム操作環の中立位置からの回転量と、ズーム操作環の回転操作に要する回転トルクとの関係を示すグラフ図である。
【符号の説明】
１０  電動ズームレンズ鏡筒
１３  ハウジング
２５  ズーム操作環
３０  回転トルク可変手段
３２  案内部材
３４  ズーミング速度切替板
３５ａ  ３５ｂ  第１移動片
３６ａ  ３６ｂ  第２移動片
３７  第１引張ばね（第１付勢手段）
３８  第２引張ばね（第２付勢手段）
５０  ズーミング速度選択スイッチ部
５２  ズームコード板
５４  ブラシ
【図１】
0003548274.tif 000002
【図２】
0003548274.tif 000003
【図３】
0003548274.tif 000004
【図４】
0003548274.tif 000005
【図５】
0003548274.tif 000006
【図６】
0003548274.tif 000007
【図７】
0003548274.tif 000008
【図８】
0003548274.tif 000009
【図９】
0003548274.tif 000010
【図１０】
0003548274.tif 000011
【図１１】
0003548274.tif 000012